(57)【要約】【技術課題】  オス条とメス条から成るジッパーにおいて、ジッパーの開放を、特に指先の不自由な人や高齢者あるいは指先が濡れていても簡単に行うことができると共に、袋の密閉性を向上させた袋用ジッパー及びこのジッパー付包装用袋を提供する。【解決手段】オス条４とメス条５から成る咬合部をプラスチック製のベーステープ２、３の表面にそれぞれ形成した袋用ジッパー１において、前記オス条４又はメス条５の上方であって、前記ベーステープ２及び３の表面に、リブ６、７をそれぞれ形成する。このように、リブ６、７を形成すると、包装用袋１０の開口部１２が少し開き気味となることから、ここから指先２１、２２を容易に差し入れることができる。そして、指先２１、２２をリブ６、７に引っ掛けて、容易にジッパー１を開封できる。また、リブ６、７により、オス条４、メス条５に作用する負荷が軽減されるため、密閉性が向上する。【選択図】図５
2007119043.tif 000002
【特許請求の範囲】
【請求項１】
オス条及びメス条から成る咬合部をプラスチック製ベーステープの表面に形成し袋用ジッパーにおいて、前記オス条の上部及び前記メス条の上部にそれぞれ対向するようにリブを形成し、かつ、このリブを対向させたときの双方のリブの高さは、前記オス条と前記メス条を咬合させた咬合状態のときの咬合部の高さと同一か、これよりも高く設定したことを特徴とする袋用ジッパー。
【請求項２】
請求項１に記載のジッパーにおいて、前記オス条の上部及び前記メス条の上部に形成された前記リブの本数は、それぞれ１本又はそれ以上であることを特徴とする袋用ジッパー。
【請求項３】
請求項１又は請求項２の何れかに記載の袋用ジッパーにおいて、前記オス条側とメス条側のリブは、前記オス条及び前記メス条を咬合させた時、それぞれ突き合わせ状態となる位置に形成されていることを特徴とする袋用ジッパー。
【請求項４】
請求項１から請求項３の何れかに記載の袋用ジッパーは、包装用袋の開口部側の内面に融着されていることを特徴とするジッパー付き包装用袋。
【請求項５】
請求項４に記載のジッパー付き包装用袋において、前記リブは、前記オス条及びメス条よりも袋の開口部側に位置するようにジッパーを包装用袋の口内に融着したことを特徴とするジッパー付き包装用袋。
【発明の詳細な説明】
【技術分野】
【０００１】
本発明は、オス条とメス条を咬合させて袋の口を閉じることができる袋用ジッパー及びこのジッパーを取り付けて成る包装用袋に関するものである。
【背景技術】
【０００２】
ジッパーをその開口部内に取り付けた包装用袋は、オス条、メス条を咬合することにより内容物が漏れ出ないように密閉収納することができ、かつ、容易に開封して内容物を取り出すことができることから、食品分野をはじめ、医薬品、電子部品など幅広く使用されている。
このジッパー付袋の一例を図１０に示す。この図１０において、１００は、袋１０５の口１０６内に取り付けられたジッパーであって、このジッパー１００は、ジッパーテープ１０１と１０２の表面にオス条１０３とメス条１０４を形成した構成である。
従来、上記したジッパー付袋１０５から内容物を取り出す際には、ジッパー１００の咬合部１００′の上方の袋１０５を切開した開口部１０８の部分を図１１に示すように指先１１０で押し開き、ここから中に指先１１０を入れて咬合部１００′を左右に開放している。図１０において、１０７は開封ノッチ部、１０９は袋１０５のサイドシール部である。
【発明の開示】
【発明が解決しようとする課題】
【０００３】
しかしながら、開封する際に、袋１００の開口部１０８を左右に引っ張って開けようとすると、開封時に咬合部１００′全体に力が掛かる為、開封するのに思いのほか大きな力を必要とする。また、袋１０５内に指先を差し入れて開こうとしたとき、図１１に示すように、袋１０５の開口部１０８はサイドシール１０９の影響もあって表、裏のフィルムが密着しているため、指先１１０を入れるきっかけが探しづらく、苦労することがある。
このような問題は、指先１１０が自由な人でも起こり易い問題であるが、特に指先１１０の不自由な人、あるいは高齢の人にはなお不自由な場合が多い。また、指先１１０が濡れているような際は、なおさら開けるのが不自由である。
【０００４】
そこで、特開２００２−１９３２８１号公報には「柔軟なフィルムより成り、上端側に取出口６を有するとともに互いに対向する一対の側壁７、８を有する袋体１と、取出口６を開閉自在に密封するためのジッパー２とを備え、ジッパー２が、袋体１の一方の側壁７の内面を横断するように設けられた凸条１３と、袋体１の他方の側壁８の内面を横断するように設けられ、凸条１３に係脱自在に係合する凹条１４とを有するジッパー付き包装袋であって、一対の側壁７、８の上部にそれぞれツマミ部３、４を設け、これらのツマミ部３、４を互いに離反する方向に引っ張ると凸条１３と凹条１４の係合が解除するように成したことを特徴とする」ジッパー付き包装袋が提案されている。
しかし、この方法によると、製造にコストがかかるばかりでなく、ツマミ部３、４が目障りとなって商品価値を下げてしまう欠点がある。
【０００５】
本発明の目的は、オス条とメス条から成る咬合部を形成したジッパーにおいて、これを袋の開口部内に取り付けた際に、このジッパーの開放を、特に指先の不自由な人や高齢者あるいは指先が濡れていても簡単に行うことができると共に、袋の密閉性が良好な袋用ジッパー及びこのジッパー付包装用袋を提供することにある。
【課題を解決するための手段】
【０００６】
上記目的を達成するため、請求項１に記載の発明においては、オス条及びメス条から成る咬合部をプラスチック製ベーステープの表面に形成し袋用ジッパーにおいて、前記オス条の上部及び前記メス条の上部にそれぞれ対向するようにリブを形成し、かつ、このリブを対向させたときの双方のリブの高さは、前記オス条と前記メス条を咬合させた咬合状態のときの咬合部の高さと同一か、これよりも高く設定したことを特徴とするものである。
【０００７】
更に、請求項２に記載の発明においては、請求項１に記載のジッパーにおいて、前記オス条の上部及び前記メス条の上部に形成された前記リブの本数は、それぞれ１本又はそれ以上であることを特徴とするものである。
【０００８】
更に、請求項３に記載の発明においては、請求項１又は請求項２の何れかに記載の袋用ジッパーにおいて、前記オス条側とメス条側のリブは、前記オス条及び前記メス条を咬合させた時、それぞれ突き合わせ状態となる位置に形成されていることを特徴とするものである。
【０００９】
更に、請求項４に記載の発明においては、ジッパー付き包装用袋において、請求項１から請求項３の何れかに記載の袋用ジッパーは、包装用袋の開口部側の内面に融着されていることを特徴とするものである。
【００１０】
更に、請求項５に記載の発明においては、請求項４に記載のジッパー付き包装用袋において、前記リブは、前記オス条及びメス条よりも袋の開口部側に位置するようにジッパーを包装用袋の口内に融着したことを特徴とするものである。
【発明の効果】
【００１１】
本発明は以上のように、ジッパーにおいて、オス条側とメス条側の双方に、対向させてリブを形成したことにより、次の効果を奏する。
１．リブが突き合わされたとき、オス条とメス条とを咬合させたときの咬合部の高さと    同一か、又はこれよりも高いことから、袋の開口部が開き気味に形成され、指先を差    し入れ、開封することが容易となる。
２．リブは、ベーステープの上端から、少なくとも１．０ｍｍ以上離れた位置に形成さ    れていることから、ベーステープを包装用袋に融着する際に、リブをつぶさずに融着    させることができる。
３．オス条側とメス条側のリブを対向させ、突き合うように形成したことにより、ジッ    パー付き包装用袋を開口部より指を差し入れて開封する際に、指先の力が均等にかか    り、小さな力で開封することが容易となる。
４．リブにより、オス条、メス条に対する負荷が軽減されるため、咬合したときの密封    性能が向上する。
【発明を実施するための最良の形態】
【００１２】
以下に本発明の実施の形態を図面に基づいて説明する。
図１に本発明の一実施形態に係わるジッパー１が図示されている。
このジッパー１は、ベーステープ２及び３とそこに形成されたオス条４とメス条５とから成り、更に、ベーステープ２及び３にはリブ６及び７が形成されている。ベーステープ２、３からリブ６及び７までの距離をそれぞれＬ１及びＬ２とすると、Ｌ１及びＬ２は、３ｍｍである。このＬ１、Ｌ２は、実用的には３ｍｍが最も好ましく、これ以下であるとヒートシール時に邪魔となり、以上であるとコスト高となるが、実用上は１ｍｍ以上２０ｍｍ以下であっても効果は３ｍｍの場合と同等である。
このジッパー１のオス条４とメス条５は、咬合し合うようになっている。図２にこのジッパーのオス条４とメス条５を咬合させた時の形態が図示されている。リブ６及び７は、オス条４とメス条５を咬合させたときに突き合う位置に設けられている。また、オス条４とメス条５を咬合させた高さをＨ１とし、リブ６と７を突き合わせた時の高さをＨ２とすると、Ｈ１とＨ２の関係は、実施例ではＨ１＜Ｈ２であるが、Ｈ１＝Ｈ２であっても良い。
【００１３】
上記したジッパー付き包装用袋を図３及び図４に示す。この包装用袋１０は、基材シート１１とジッパー１とから構成される。包装用袋１０は、以下の手順で製造される。
まず、ジッパー１のベーステープ２、３は、基材シート１１の一辺側にヒートシールで融着され、かつ、そのリブ６、７がそれぞれオス条４及びメス条５よりも開口部１２側になるように融着される。そしてジッパー１がそれぞれ融着された２枚の基材シート１１は、リブ６、７が包装用袋１０の開口部１２側に位置し、残りの３辺１３は、ヒートシールで封止される。
【００１４】
また図３、図４で示すように、包装用袋１０は、開口部１２側より袋内面に、リブ６及び７（同位置）、オス条４及びメス条５（同位置）の順に位置している。さらに開口部１２を除く３辺１３は、ヒートシールで封止されている。
図５は、包装用袋１０の開封時の様子を示している。包装用袋１０の開口部１２から指先２０、２１を差し入れて、ジッパー１の咬合部を外し、包装用袋１０を開封する。
【実施例】
【００１５】
以下、実施例１、２及び比較例１、２を上げて、本発明を具体的に説明する。前記実施形態において、Ｈ１、Ｈ２の条件を表１の通りとして包装用袋１０を製造した。
【表１】
2007119043.tif 000003
表１に示した記号の意味は、◎は非常に容易に押し開きができる、○は容易に押し開きができる、△は押し開きができる、×は容易に押し開きができない、である。
表１により実施例１はリブ６、７の高さが咬合された咬合部の高さよりも高いことにより、比較例１、２のようなリブ６、７の高さが咬合された咬合部の高さよりも低いか、または、リブ６、７がないものと比較して、袋の開口部１２から容易に指先２１、２２が入り、開きやすいことが判る。
実施例２のようにリブ６、７の高さが咬合された咬合部の高さと同じであっても、比較例１、２と比較して、袋の開口部１２から容易に指先２１、２２が入り、開きやすいことが判る。
【００１６】
本発明によれば、リブ６、７が咬合部よりも開口部１２側にあり、かつ咬合された咬合部よりも高さが同一かこれより高いことにより、袋の開口部１２の端面が開き気味となり、袋に指先２１、２２を入れて開封する際、開封を容易とすることができる。また、リブ６、７を咬合部より離れた位置に形成することにより、開口部１２がより広く開き、指先２１、２２を入れやすくなるのと同時に、袋にジッパー１（ベーステープ２、３）を溶着する際に、ジッパー１とリブ６、７間の距離が広く取られているため、リブ６、７をつぶすことなく、容易に溶着することができる。
【図面の簡単な説明】
【００１７】
【図１】本発明の一実施形態に係わるジッパーを示す断面図
【図２】図１の実施形態に係わるジッパーのオス条とメス条を咬合させたときの断面図
【図３】図１の実施形態におけるジッパーを包装用袋に取り付けたときの断面図
【図４】図１の実施形態におけるジッパーを包装用袋に取り付けたときの正面図
【図５】図３、４の実施形態において、ジッパーを閉じた状態から、リブを利用して包装用袋を開封している状態の説明図
【図６】実施例１における包装用袋の断面図
【図７】実施例２における包装用袋の断面図
【図８】比較例１における包装用袋の断面図
【図９】比較例２における包装用袋の断面図
【図１０】従来のジッパー付き包装袋の説明図
【図１１】従来のジッパー付き包装用袋において、開口部内に指先を差し入れようとしている状態の説明図
【符号の説明】
【００１８】
１  ジッパー
２、３  ベーステープ
４  オス条
５  メス条
６、７  リブ
１０  ジッパーテープ付き包装用袋
１１  基材シート
１２  開口部
２０、２１  指先
【図１】
2007119043.tif 000004
【図２】
2007119043.tif 000005
【図３】
2007119043.tif 000006
【図４】
2007119043.tif 000007
【図５】
2007119043.tif 000008
【図６】
2007119043.tif 000009
【図７】
2007119043.tif 000010
【図８】
2007119043.tif 000011
【図９】
2007119043.tif 000012
【図１０】
2007119043.tif 000013
【図１１】
2007119043.tif 000014